(57)【要約】【課題】信号ワイヤ間の信号の相互誘導やクロストーク現象の発生を減少することのできる信号伝送ケーブルを提供する。【解決手段】信号伝送ケーブル１は、複数組の信号ワイヤ１２ａ〜１２ｄを含み、各組の信号ワイヤは、少なくとも２本の相互に撚られた導線１２２ａ，１２２ｂと１本の独立した導線１２２ｃを含む。複数組の信号ワイヤは、長手方向に沿う各組の信号ワイヤが幅方向に並列配置されて扁平形状をなす。各組の信号ワイヤは、隣り合う組同士の信号ワイヤの導線の撚りによる交差点Ａ，Ａ＋１，Ａ＋２…と交差点Ｂ，Ｂ＋１，Ｂ＋２…とが、長手方向に沿って互い違いに配置されている。【選択図】図２
0003125033.tif 000002
【実用新案登録請求の範囲】
【請求項１】
少なくとも複数組の信号ワイヤと制御ワイヤとを含み、各組の信号ワイヤは、少なくとも２本の相互に撚られた導線と１本の独立した導線を含み、前記複数組の信号ワイヤは、長手方向に沿う前記各組の信号ワイヤが幅方向に並列配置されて扁平形状をなし、前記各組の信号ワイヤの相互に撚られた導線は、複数の撚りによる交差点を備え、且つ、隣り合う組同士の信号ワイヤの導線の交差点が、前記長手方向に沿って互い違いに配置されたことを特徴とする信号伝送ケーブル。
【請求項２】
少なくとも複数組の信号ワイヤ及び制御ワイヤを含み、前記各組の信号ワイヤが少なくとも２本の相互に撚られた導線と１本の独立した導線を含み、前記複数組の信号ワイヤは、長手方向に沿う前記各組の信号ワイヤが幅方向に並列配置されて扁平形状をなし、前記扁平形状の複数組の信号ワイヤは、その長手方向に直交する幅方向において、前記各組の信号ワイヤが、金属箔よりなる隔離体で各組の信号ワイヤ間を蛇行状に互い違いに仕切られ、その長手方向の両側縁と上面下面のうちの一面を前記隔離体で隔離されたことを特徴とする信号伝送ケーブル。
【請求項３】
前記各信号ワイヤの導線の交差点が等距離で配置されていることを特徴とする請求項１に記載の信号伝送ケーブル。
【請求項４】
前記各信号ワイヤの導線の交差点が不等距離で配置されていることを特徴とする請求項１に記載の信号伝送ケーブル。
【請求項５】
前記各組の信号ワイヤは、前記隔離体により対内的及び対外的に完全に隔離され、電磁場の影響による信号伝送の安定性への影響を回避したことを特徴とする請求項２に記載の信号伝送ケーブル。
【請求項６】
前記隔離体上に一層の導電粘着剤が塗布され、前記各組の信号ワイヤの各導線を前記導電粘着剤に粘着させ、その前記隔離体上の位置を固定させたことを特徴とする請求項２に記載の信号伝送ケーブル。
【請求項７】
前記各組の信号ワイヤは、少なくとも２本の相互に撚られた導線と１本の独立した導線とを含み、前記独立した導線は、接地ラインであると共に裸銅線を採用し、前記２本の相互に撚られた導線の横に並列に配置されたことを特徴とする請求項１又は２に記載の信号伝送ケーブル。
【請求項８】
前記各組の信号ワイヤは、前記少なくとも２本の相互に撚られた導線が信号伝送ラインであり、かつ前記１本の独立した導線が接地ラインであることを特徴とする請求項１または２に記載の信号伝送ケーブル。
【請求項９】
前記隔離体が導電アルミ箔、錫箔または銅箔のうちより１つ選ばれたものであることを特徴とする請求項２又は６に記載の信号伝送ケーブル。
【考案の詳細な説明】
【技術分野】
【０００１】
本考案は、信号伝送ケーブルに関し、詳細には、高解像度マルチメディアインターフェースに適用して好適な扁平形状の信号伝送ケーブルに関する。
【背景技術】
【０００２】
ＨＤＭＩ（High-definition Multimedia Interface）とは、新世代のマルチメディアＡＶ設備に対する伝送インターフェースであり、デジタルテレビやＤＶＤレコーダ、セットトップボックス（Set-top Box）及びその他デジタルＡＶ製品など、多くのデジタルＡＶ家電の信号伝送に用いられている。ＨＤＭＩは、従来の映像と音声を分離した伝送方式を改善し、統合信号で映像と音声を同時に伝送するマルチメディアインターフェースであり、且つ、非圧縮式の高解像度デジタルデータ伝送を採用することで高密度のデジタル信号を効果的に伝送することができ、最大伝送速度は５Ｇｂｉｔ／ｓに達し、出力ビデオ信号がＤＶＩその他デジタル映像データであるほか、同時に８つのチャンネルの音声信号を伝送することができるデジタル製品必携のマルチメディア端子/インターフェースである。
【０００３】
ＨＤＭＩを利用して伝送される高解像度のデジタル信号であっても、伝送ケーブル形式の外界電磁場干渉とインピーダンス整合の異なる要素により伝送端及び受信端の信号品質が左右されることは免れない。図１は、従来のＨＤＭＩ伝送ケーブルを示す図である。従来のＨＤＭＩ伝送ケーブルは、円柱形状であるため全体の線径が太く、設備に接続するときに湾曲が難しく、設置上の困難を引き起こしたり、曲げたときに内部の導線の切断やダメージが発生しやすい。
【０００４】
これらの問題を解決することを目的として、台湾実用新案Ｍ２６９６２８号として提案された「高解像度マルチメディアインターフェースケーブル」は、複数組の導線を相互に撚った伝送ケーブルを利用し、それらを扁平状に配列し、２つの包覆層を前述の配列された伝送ケーブルの上下両面を形成し、前記伝送ケーブルをそれらの間に挟んで設置する構成を有するものである。
【０００５】
【特許文献１】台湾実用新案Ｍ２６９６２８号明細書
【考案の開示】
【考案が解決しようとする課題】
【０００６】
しかしながら、上記の台湾実用新案Ｍ２６９６２８号明細書に記載の伝送信号ケーブルは、各組の信号ワイヤの撚りの交差する点が、信号ワイヤの長手方向に対して直交する幅方向の１つの横断線上に位置する構造であるため、信号の相互誘導、クロストーク現象等の欠点が生じ、包覆層が伝送ケーブルの上面及び下面のみに被覆を形成している状態では、各組の信号ワイヤ間にインダクタンス、キャパシタンス反応を発生し、伝送信号の減衰損失につながるという問題がある。
【０００７】
本考案はこれに鑑みてなされたもので、その目的は、信号ワイヤ間の信号の相互誘導やクロストーク現象の発生を減少することのできる信号伝送ケーブルを提供することにある。
【０００８】
本考案の他の目的は、隔離体を用い、この隔離体によって各信号ワイヤを互い違いに完全に隔離し、電磁場相互干渉を減らすと共に、各組の信号ワイヤ間で発生するインダクタンス、キャパシタンス反応をなくし、伝送端及び受信端の伝送信号の相互干渉を減らすことのできる信号伝送ケーブルを提供することにある。
【課題を解決するための手段】
【０００９】
請求項１に係る信号伝送ケーブルは、上記課題を解決するために、少なくとも複数組の信号ワイヤと制御ワイヤとを含み、各組の信号ワイヤは、少なくとも２本の相互に撚られた導線と１本の独立した導線を含み、前記複数組の信号ワイヤは、長手方向に沿う前記各組の信号ワイヤが幅方向に並列配置されて扁平形状をなし、前記各組の信号ワイヤの相互に撚られた導線は、複数の撚りによる交差点を備え、且つ、隣り合う組同士の信号ワイヤの導線の交差点が、前記長手方向に沿って互い違いに配置されたことを特徴とする。
【００１０】
請求項２に係る信号伝送ケーブルは、上記課題を解決するために、少なくとも複数組の信号ワイヤ及び制御ワイヤを含み、前記各組の信号ワイヤが少なくとも２本の相互に撚られた導線と１本の独立した導線を含み、前記複数組の信号ワイヤは、長手方向に沿う前記各組の信号ワイヤが幅方向に並列配置されて扁平形状をなし、前記扁平形状の複数組の信号ワイヤは、その長手方向に直交する幅方向において、前記各組の信号ワイヤが、金属箔よりなる隔離体で前記各組の信号ワイヤ間を蛇行状に互い違いに仕切られ、その長手方向の両側縁と上面下面のうちの一面を前記隔離体で隔離されたことを特徴とする。
【００１１】
請求項３に係る信号伝送ケーブルは、請求項１に係るものにおいて、前記各信号ワイヤの導線の交差点が等距離で配置されていることを特徴とするものである。また、請求項４に係る信号伝送ケーブルは、請求項１に係るものにおいて、前記各信号ワイヤの導線の交差点が不等距離で配置されていることを特徴とするものである。
【００１２】
請求項５に係る信号伝送ケーブルは、請求項２に係るものにおいて、前記各組の信号ワイヤが、前記隔離体により対内的及び対外的に完全に隔離され、電磁場の影響による信号伝送の安定性への影響を回避したことを特徴とするものである。また、請求項６に係る信号伝送ケーブルは、請求項２に係るものにおいて、前記隔離体上に一層の導電粘着剤が塗布され、前記各組の信号ワイヤの各導線を前記導電粘着剤に粘着させ、その前記隔離体上の位置を固定させたことを特徴とするものである。
【００１３】
請求項７に係る信号伝送ケーブルは、請求項１又は２に係るものにおいて、前記各組の信号ワイヤが、少なくとも２本の相互に撚られた導線と１本の独立した導線とを含み、前記独立した導線は、接地ラインであると共に裸銅線を採用し、前記２本の相互に撚られた導線の横に並列に配置されたことを特徴とする。
【００１４】
請求項８に係る信号伝送ケーブルは、請求項１又は２に係るものにおいて、前記各組の信号ワイヤは、前記少なくとも２本の相互に撚られた導線が信号伝送ラインであり、かつ前記１本の独立した導線が接地ラインであることを特徴とするものである。
【００１５】
請求項９に係る信号伝送ケーブルは、請求項２又は６に係るものにおいて、前記隔離体が導電アルミ箔、錫箔または銅箔のうちより１つ選ばれたものであることを特徴とするものである。
【考案の効果】
【００１６】
請求項１に係る信号伝送ケーブルによれば、複数組の信号ワイヤは、長手方向に沿う各組の信号ワイヤが幅方向に並列配置されて扁平形状をなし、各組の信号ワイヤは、隣り合う組同士の信号ワイヤの導線の交差点が、長手方向に沿って互い違いに配置されているので、信号ワイヤ間の信号の相互誘導やクロストーク現象の発生を減少することができる。
【００１７】
請求項２に係る信号伝送ケーブルによれば、扁平形状の複数組の信号ワイヤは、その長手方向に直交する幅方向において、各組の信号ワイヤが、金属箔よりなる隔離体で各組の信号ワイヤ間を蛇行状に互い違いに仕切られ、その長手方向の両側縁と上面した面の内の一面を隔離体で隔離されているので、電磁場相互干渉を減らすと共に、各組の信号ワイヤ間で発生するインダクタンス、キャパシタンス反応をなくし、伝送端及び受信端の伝送信号の相互干渉を減らすことができる。
【考案を実施するための最良の形態】
【００１８】
以下、本考案の実施の形態を図面に基いて詳細に説明する。図２は、本考案の実施形態に係る信号伝送ケーブルの正面図であり、図３は、実施形態の信号伝送ケーブルの横方向の断面図である。図２に示すように、導線の撚りの状態をはっきりと表現するために、実施形態では４組の信号ワイヤを一例として示し、且つ、１本の線は導線の絶縁層内部での状態を示すものとする。
【００１９】
図２に示すように、信号伝送ケーブル１は複数の組（実施形態では４組）の信号ワイヤ１２ａ〜１２ｄを備え、複数組の信号ワイヤ１２ａ〜１２ｄは、長手方向に沿う各組の信号ワイヤが幅方向に並列配置されて扁平形状をなす。各組の信号ワイヤ１２ａ〜１２ｄ（一組目の信号ワイヤを例に掲げると）は、３本の導線１２２ａ〜１２２ｃを備えている。そのうち、２本の導線１２２ａ，１２２ｂが相互に撚られた信号伝送ラインとされ、残る導線１２２ｃは１本の独立した接地ラインとされている。導線１２２ｃは裸銅線を採用することが好ましく、撚られた導線１２２ａ，１２２ｂの横に並列させた状態で配置するか、或いは３つを相互に撚って信号ワイヤ１２ａを形成してもよい。さらに、信号伝送ケーブル１は、複数本の制御ワイヤ１４を有している。各組の信号ワイヤ１２ａ〜１２ｄは、実際の運用に応じて映像信号または音声信号を伝送するチャンネル線としたり、各信号伝送時のリファレンスクロック線等とすることができる。
【００２０】
１組目の信号ワイヤ１２ａの相互に撚られた導線１２２ａ，１２２ｂは、その長手方向の適当な位置で第１交差点Ａを設け、第１交差点Ａから適宜間隔を開けて第２交差点Ａ＋１を設け、さらに第２交差点Ａから適宜間隔を開けて第３交差点Ａ＋２を設ける。なお、各交差点の間隔は等距離としてもよいし、不等距離であってもよい。
【００２１】
２組目の信号ワイヤ１２ｂは、その長手方向における第１の交差点Ｂ１の位置が、前記１組目の信号ワイヤ１２ａに設けた第１交差点Ａと第２交差点Ａ＋１との間に対応する位置（第１交差点Ａと第２交差点Ａ＋１との略真中の位置が好ましい）に設け、第１交差点Ｂから適宜間隔を開け、かつ１組目の信号ワイヤ１２ａに設けた第２交差点Ａ＋１と第３交差点Ａ＋２との間に対応する位置に第２交差点Ｂ＋１を設け、第２交差点Ｂ＋１から適宜間隔を開け、かつ１組目の信号ワイヤ１２ａに設けた第３交差点Ａ＋２と第４交差点Ａ＋３（符号はなし）との間に対応する位置に第３交差点Ｂ＋２を設ける。
【００２２】
この方法で前記１組目の信号ワイヤ１２ａ及び２組目の信号ワイヤ１２ｂの交差点を信号伝送ケーブルの長手方向に沿って互い違いに配置させる。この配列方式で各信号ワイヤ間の信号電磁場相互誘導またはクロストーク現象の発生を抑えることができる。同様に３組目の信号ワイヤ１２ｃ及び４組目の信号ワイヤ１２ｄにおいても隣り合う信号ワイヤの交差点を互い違いに配置するだけで、上述の目的を達することができる。このため、各組の隣り合う信号ワイヤの交差点が同じ幅方向の横断線上に配置されないことになる。
【００２３】
図３に示すように、各組の信号ワイヤが相互間または外界の電磁場の影響を受けて信号の伝送において干渉が発生するのを防ぐため、各組の信号ワイヤを対内的及び対外的に完全に隔離する。信号伝送ケーブル１の内部に金属箔よりなる隔離体３を配し、その長手方向に直交する幅方向において、各組の信号ワイヤ１２ａ〜１２ｄが、各組の信号ワイヤ間を蛇行するようにして仕切り、各組の信号ワイヤはその長手方向の両側縁と上面下面のうちの一面を隔離体３で隔離される。なお、隔離体３は通常、導電アルミ箔または錫箔、銅箔等のうちより１つ選ばれたものとすることができる。
【００２４】
図３において、隔離体としての導電アルミ箔３は、１組目の信号ワイヤ１２ａの左側（一側面）から一面（上面）を覆い、１組目の信号ワイヤ１２ａと２組目の信号ワイヤ１２ｂとの間隙１６を通って２組目の信号ワイヤ１２ｂの右側（裏面）へと抜け、２組目の信号ワイヤ１２ｂの裏面を覆い、さらに２組目の信号ワイヤ１２ｂと３組目の信号ワイヤ１２ｃとの間隙１６を通って３組目の信号ワイヤ１２ｃの上面側へと抜ける。このように規則的に行ったりきたり反復させながら進行させて２つの信号ワイヤの間に配置し、各組の信号ワイヤ間を完全に隔離することができる。このほか、前工程において導電アルミ箔３上に一層の導電粘着剤（図示しない）を塗布し、各導線を製造工程において粘着させることにより、前述の位置をより安定させることができる。
【００２５】
図４に信号伝送ケーブル１の端部に設けられコネクタプラグの分解斜視図を示す。コネクタプラグ２は、上蓋２２、下蓋２４、プラグ２６及びブリッジ装置２８を含み、上蓋２２と下蓋２４とはプラグ２６、ブリッジ装置２８及び信号伝送ケーブル１の一端をその内部に包覆する。
【００２６】
なお、図５はブリッジ装置２８の平面図であり、図６はブリッジ装置２８の底面図である。信号伝送ケーブル１の一端は加工し（各導線の被覆部分を剥奪して裸線１８部分が露出された状態とし）、ブリッジ装置２８を用いて第１接続面２８２の接点と各導線を接続し、且つ、第２接続面２８４の上面及び下面の各接点（図５及び図６参照）とプラグ２６の端子２６２とをそれぞれ接続し、信号伝送ケーブル１の信号が正確にプラグ２６の部分へ伝送させるようにし、本考案の信号伝送ケーブル１を利用する伝送端及び受信端を正確に接続することができる。
【００２７】
図７は信号伝送ケーブルの両端部にコネクタプラグを取り付けた状態を示す平面図、図８は信号伝送ケーブルの両端部にコネクタプラグを取り付けた状態を示す側面図である。信号伝送ケーブル１の２つのコネクタプラグ２の結合を完成させた後、信号伝送ケーブル１は扁平状を成し、且つ、内部の各組の隣り合う信号ワイヤの撚りの交差する点はその長手方向に沿って互い違いに配置されているため、各信号ワイヤ間の信号電磁楊相互誘導またはクロストーク現象の発生を抑えることができ、使用時にはより広範囲の区域に適用できるだけでなく、湾曲時の内部導線の切断やダメージを減少することができる。
【図面の簡単な説明】
【００２８】
【図１】従来の円柱状の信号伝送ケーブルを示す図である。
【図２】本考案の実施形態に係る信号伝送ケーブルの正面図である。
【図３】同上の実施形態の信号伝送ケーブルの横方向の断面図である。
【図４】同上の実施形態における信号伝送ケーブルの端部に設けられコネクタプラグを分解して示す斜視図である。
【図５】コネクタプラグにおけるブリッジ装置の平面図である。
【図６】コネクタプラグにおけるブリッジ装置の底面図である。
【図７】信号伝送ケーブルの両端部にコネクタプラグを取り付けた状態を示す平面図である。
【図８】信号伝送ケーブルの両端部にコネクタプラグを取り付けた状態を示す側面図である。
【符号の説明】
【００２９】
１  信号伝送ケーブル
１２ａ〜１２ｄ  信号ワイヤ
１２２ａ〜１２２ｃ  導線
１４  制御ワイヤ
１６  間隙
１８  裸線
２  コネクタプラグ
２２  上蓋
２４  下蓋
２６  プラグ
２６２  端子
２８  ブリッジ装置
２８２  第１接続面
２８４  第２接続面
３  隔離体（導電アルミ箔）
【図１】
0003125033.tif 000003
【図２】
0003125033.tif 000004
【図３】
0003125033.tif 000005
【図４】
0003125033.tif 000006
【図５】
0003125033.tif 000007
【図６】
0003125033.tif 000008
【図７】
0003125033.tif 000009
【図８】
0003125033.tif 000010